(57)【特許請求の範囲】
【請求項１】
中央領域、第１の側面領域および第２の側面領域を有する底基板であって、弾性材料を備える底基板と、
前記中央領域に亘って配置される創傷被覆部と、
前記第１の側面領域に亘って延在する第１の側面連結部材および前記第２の側面領域に亘って延在する第２の側面連結部材と、
前記第１の側面領域上に配置される第１の側面接着部および前記第２の側面領域上に配置される第２の側面接着部と、
を備える包帯であって、
前記第１の側面連結部材および前記第２の側面連結部材の少なくとも一つは、
上面および下面を有し、且つ外周部を画定する基部であって、前記外周部が前縁部および後縁部を有する、基部と、
前記基部から外側に延在し、且つ互いに離間された複数の把持構造体であって、複数の把持構造体のそれぞれが前記前縁部に向かって湾曲する、複数の把持構造体と、を備え、
複数の前記把持構造体のそれぞれは、前面および後面と、対向する第１の側面および第２の側面と、を含み、
前記前面、前記後面、前記第1の側面、および前記第２の側面は、一緒になって前記基部における基部外周部とそこから遠位に延びる上端とを画定し、
前記上端で交わるように、対向する前記第１の側面および前記第２の側面は内向きに傾斜し、前記前面および前記後面は前記前縁部に向かって湾曲し、
前記基部外周部によって画定される底面の外側に前記上端が位置していることを特徴とする包帯。
【請求項２】
前記第１の側面連結部材が、前記中央領域と前記第１の側面接着部との間に配置され、
前記第２の側面連結部材が、前記中央領域と前記第２の側面接着部との間に配置される請求項１に記載の包帯。
【請求項３】
さらに、前記創傷被覆部がガーゼを含む請求項１または２に記載の包帯。
【請求項４】
前記底基板が透明または不透明のいずれかである請求項１〜３のいずれか１項に記載の包帯。
【請求項５】
前記基部外周部が、正方形部材を含む請求項１に記載の包帯。
【請求項６】
前記把持構造体が両側縁部の間にある行に配置され、隣接する行の前記把持構造体は交互に配列される請求項５に記載の包帯。
【請求項７】
前記把持構造体が２つの行に配置され、第１の行の前記把持構造体は、第２の行の前記把持構造体に対して相対的に交互に配列される請求項６に記載の包帯。
【請求項８】
前記把持構造体が略同一である請求項１〜７のいずれか１項に記載の包帯。
【請求項９】
前記第１の側面連結部材は、モノリシックに形成されたアクリル系ポリマー部材を含む請求項１〜８のいずれか１項に記載の包帯。
【請求項１０】
前記第１の側面連結部材および前記第２の側面連結部材は、互いに略左右対称である請求項１〜９のいずれか１項に記載の包帯。
【請求項１１】
包帯の製造に関連して利用される保護キャリアと、包帯の一部を形成する機械的連結系との組み合わせであって、
前記保護キャリアは、対向する第１の側壁および第２の側壁を備える基部を含み、前記第１の側壁および第２の側壁が協調的にチャネルを画定し、前記保護キャリアは細長く、それ自体の上に巻かれることが可能で、
包帯の一部を形成する前記機械的連結系は、そこから延在する複数の把持構造体を有する基部を備え、前記基部および前記把持構造体は前記保護キャリアによって画定される前記チャネル内に完全に配置され、
前記機械的連結系は、前記保護キャリア内に配置され、前記保護キャリアの前記基部は、前記機械的連結系が前記保護キャリアの前記チャネル内に位置した状態で、それ自体の上に巻かれることを特徴とする、保護キャリアと機械的連結系との組み合わせ。
【請求項１２】
前記把持構造体は、前記機械的連結系の第１の側に向かって湾曲する請求項１１に記載の組み合わせ。
【発明の詳細な説明】
【技術分野】
【０００１】
概して、本開示は、創傷治療デバイス、特に、創傷の被覆および創傷の閉鎖の補助の両方を提供する包帯に関する。
【０００２】
本出願は、２０１５年１１月１１日に出願された「Bandage」と題する米国特許出願第62/253,898号に基づく優先権を主張し、当該明細書全体はすべて本出願に援用される。
【背景技術】
【０００３】
包帯の使用は当該技術分野で周知である。一般に、包帯は、被覆材料と、底基板とを備える。被覆材料は底基板と連結され、底基板は使用者の皮膚に接着する。
【０００４】
大抵の場合、深い創傷は、必要な閉鎖を提供するために縫合などを必要とする。問題なことに、典型的な包帯は有用であるが、創傷の両側を合うように向かわせるか、または閉鎖を促進するようにするための何らかまたは十分な力を創傷に与えない。
【０００５】
創傷の被覆ならびに創傷の閉鎖を容易、促進および／または促す力を提供できることは包帯にとって有利である。
【発明の概要】
【課題を解決するための手段】
【０００６】
本開示の一つの態様では、本開示は、底基板と、創傷被覆部と、第１の側面連結部材および第２の側面連結部材と、第１の側面接着部および第２の側面接着部と、を備える包帯を対象としている。前記底基板が弾性部材を備え、中央領域、第１の側面領域および第２の側面領域を含む。前記創傷被覆部が、前記中央領域に亘って配置される。前記第１の側面連結部材が、前記第１の側面領域に亘って延在する。前記第２の側面連結部材が、前記第２の側面領域に亘って延在する。前記第１の側面接着部が、前記第１の側面領域上に配置される。前記第２の側面接着部が、前記第２の側面領域上に配置される。
【０００７】
使用では、使用者は前記第１の側面領域を取り、この第１の側面領域を創傷の第１の側と連結すると考えられる。次に、使用者は材料を引き伸ばし、前記第２の側面領域を創傷の第２の側と連結する。同時に、創傷はつままれ得る。前記第１の側面領域および前記第２の側面領域の両方が連結されると、前記第１の側面連結部材および前記第２の側面連結部材（マイクロニードル）は、使用者の皮膚内に導かれる。この構成のために、概して創傷への皮膚に対する前記底基板の内向きの移動を阻止する。前記第１の側面接着部および前記第２の側面接着部は、前記包帯の位置を維持し、前記第１の側面連結部材および第２の側面連結部材と創傷の両側の皮膚との係合および機械的係止を促進する。前記底基板の付勢力は、創傷の両側を互いに向けて向かわせ、創傷を塞ぐために必要な閉鎖力を与える。
【０００８】
一部の態様では、前記第１の側面連結部材が、前記中央領域と前記第１の側面接着部との間に配置され、前記第２の側面連結部材が、前記中央領域と前記第２の側面接着部との間に配置される。
【０００９】
一部の態様では、さらに、前記創傷被覆部がガーゼをさらに含む。
【００１０】
一部の態様では、前記底基板が透明または不透明のいずれかである。
【００１１】
一部の態様では、さらに、前記第１の側面連結部材および前記第２の側面連結部材の少なくとも一つは、基部と、複数の把持構造体と、を備える。前記基部が、上面および下面を有し、外周部を画定する。外周部は前縁部および後縁部を有する。前記複数の把持構造体が、前記基部から外側に延在し、互いに離間する。前記複数の把持構造体のそれぞれが前記前縁部に向かって湾曲する。
【００１２】
一部の態様では、前記複数の把持構造体のそれぞれは、前面および後面と、対向する第１の側面および第２の側面と、を含み、前面、後面、第1の側面、及び第2の側面はともに前記基部の基部外周部およびそこから遠位に延びる上端を画定する。対向する前記第１の側面および前記第２の側面が、前記上端で交わるように内向きに傾斜する。前記前面および前記後面が、前記前縁部に向かって湾曲する。前記上端が、前記基部外周部によって画定される底面の外側にある。
【００１３】
一部の態様では、前記基部外周部が、正方形部材を含む。
【００１４】
一部の態様では、前記把持構造体が両側縁部の間にある行に配置され、隣接する行の前記把持構造体は交互に配列される。
【００１５】
一部の態様では、前記把持構造体が２つの行に配置され、第１の行の前記把持構造体は、第２の行の前記把持構造体に対して相対的に交互に配列される。
【００１６】
一部の態様では、前記把持構造体が略同一である。
【００１７】
一部の態様では、前記第１の側面連結部材は、モノリシックに形成されたアクリル系ポリマー部材を備える。
【００１８】
一部の態様では、前記第１の側面連結部材および前記第２の側面連結部材は、互いに略左右対称である。
【００１９】
本開示の他の態様では、本開示は、創傷を治療する方法を対象としている。前記方法は、請求項１に記載の包帯を引き伸ばされていない形態で提供する工程と、前記第１の側面連結部材を前記創傷の第１の側上に設置する工程と、前記第１の側面接着部を前記創傷の第１の側上に接着する工程と、前記包帯の底基板を引き伸ばす工程と、前記包帯の底基板が引き伸ばされた状態を維持しながら前記第２の側面連結部材を前記創傷の第２の側上に設置する工程と、前記第２の側面接着部を前記創傷の第２の側上に接着する工程と、前記包帯が引き伸ばされていない形態に戻り、次いで前記創傷を塞ぐように前記底基板を放す工程と、を備える。
【００２０】
一部の態様では、前記包帯の底基板が引き伸ばされた状態を維持しながら、前記第２の側面接着部を前記創傷の第２の側上に接着する工程が完了する。
【００２１】
一部の態様では、前記底基板が透明原料を含む。さらに、前記方法は前記創傷を前記底基板を通して観察する工程を含む。
【００２２】
本開示の他の態様では、本開示は、包帯の製造に関連する利用のための保護キャリアと機械的連結系との組み合わせを対象としている。前記保護キャリアは、底部、対向する第１の側壁および第２の側壁を備え、底部、第1の側壁、及び第2の側壁は、協調的にチャネルを画定する。前記保護キャリアは、細長く、構造的にそれ自体の上に巻かれるように構成される。前記機械的連結系は、そこから延在する複数の把持構造体を有する基部を備え、前記把持構造体は前記保護キャリアによって画定される前記チャネル内に留まる。前記機械的連結系は、前記保護キャリア内に配置され、それ自体の上に巻かれる。
【００２３】
一部の態様では、前記把持構造体は、前記機械的連結系の第１の側に向かって湾曲する。
【図面の簡単な説明】
【００２４】
本開示は図面を参照して説明する。
【００２５】
【図１】本開示の包帯の概略底面図である。特に、図１では、図の明確さのためではあるが、縮尺を変更して機械的連結系を示している。
【図２】本開示の包帯の概略側面図である。
【図３】創傷に亘って配置された包帯の上面図である。
【図４】本開示の包帯の他の態様の底面図である。特に、図４では、本構成の寸法を示している。
【図５】第１の側面連結部材の部分側面図である。特に、図５では、把持構造体の構成を示している。
【図６】第１の側面連結部材の部分背面図である。特に、図６では、把持構造体の構成を示している。
【図７】本開示の把持構造体の斜視図を示す写真である。
【図８】組立および製造の目的のために機械的連結系のロールが配置され得る保護キャリアの斜視図である。
【発明を実施するための形態】
【００２６】
この発明は、多数の異なる形態の実施形態が可能であるが、本開示は例示として考慮されるべきであり、説明される実施形態に限定されることを目的としていないという理解のもとで、図面を示し、本明細書で詳細に具体的な実施形態を説明する。
【００２７】
本明細書で言及される同様のまたは類似の要素と構成要素とのいずれか一方または両方は、図面を通して同様の参照符号によって特定され得るものと理解される。さらに、図面は、発明の略図に過ぎず、構成要素の一部は、図の明確さの目的のために実際の縮尺から変更していることがあるものと理解される。
【００２８】
さて、図面、特に図１を参照すると、概して本開示の包帯は参照符号１０で示されている。包帯１０は、底基板１２と、創傷被覆部（wound covering portion）１４と、機械的連結系（mechanical coupling system）１６と、接着性連結系（adhesive coupling system）１８と、を備える。本開示の包帯１０は、創傷の閉鎖や保護によく適していると考えられる。また、本開示は、他の目的にさらによく適しており、本開示は、ある特定の使用または用途に制限されないものと理解される。
【００２９】
図１および図２では、底基板１２は、第１の端部２０と第２の端部４０との間に延在し、第１の側縁部２２と第２の側縁部４２との間に及ぶように示されている。底基板１２は、使用者の皮膚に貼り付けられる際に外側を向く外表面２４と、使用者の皮膚に首尾よく覆う内表面２６と、を含む。底基板１２は、中央領域４４とともに、中央領域４４の第１の側から延在する第１の側面領域４６および中央領域４４の第２の側から延在し、第１の側面領域４６と反対側である第２の側面領域４８を含む。
【００３０】
底基板１２は、実質的に厚さが均一であると考えられる。同様に、図示された構成では、幅も実質的に均一である。底基板１２は、第１の端部２０および第２の端部４０との間の縦軸に沿って底基板１２を２等分する軸に関して実質的に対称である。同様に、底基板１２は、第１の側縁部２２と第２の側縁部４２との間の横軸に関して実質的に対称である。他の構成では、底基板は、対称であってもなくてもよく、均一であってもなくてもよいと考えられる。多種多様な構成が考えられ、本開示は、底基板のいずれの特定の形状に制限されない。
【００３１】
底基板１２は弾性があり、天然もしくは合成の織布材料または不織布材料と予想される。好ましくは、そのような材料は少なくとも縦軸方向にある程度の弾性伸縮を有する。それによって、包帯１０を弾性的に引き伸ばすために第１の端部２０および第２の端部４０が互いに対して引っ張られることが可能である。他の構成では、底基板はあらゆる方向に弾性変形可能であってもよい。使用のために非合成材料が考えられ、そのような材料は織布または不織布であり得るとも考えられる。また、底基板１２の材料は同一であることが示されているが、変形例が考えられ、底基板１２を形成するために相互に連結する多種多様な材料を含んでもよいと考えられる。
【００３２】
創傷被覆部１４は、その中に位置した吸収材料を有するいくつかの種類のガーゼ材料（gauze material）を備えるものとして示されている。典型的に、創傷被覆部１４は、底基板１２の内表面２６に接着した材料を含み、創傷接触面（wound contact surface）３０を含む。いくつかある特徴の中でも、創傷被覆部１４は、吸収材料、薬剤を含んでもよいと考えられる。すなわち、そのような特徴は、包帯技術の当業者に知られている。
【００３３】
図１および図２では、機械的連結系１６は、第１の側面連結部材（first side coupling member）３２と、第２の側面連結部材（second side coupling member）３４と、を備えることが示されている。第１の側面連結部材３２および第２の側面連結部材３４は、実質的に同一であると考えられる（けれども、性質、大きさおよび量などが変えられてもよく、一般に同一の使用特性を有する）。第１の側面連結部材３２および第２の側面連結部材３４は依然として同一の機能性を有するが、異なってもよいものと理解される。そのようなものとして、第２の側面連結部材３４は同一の材料および構造から選択され得るという理解のもとに、第１の側面連結部材３２が説明される。
【００３４】
第１の側面連結部材３２は、非観血的に、かつ痛みを伴わずに使用者の真皮に導かれる７００μｍのマイクロニードル（micron micro needles）のアレイ（array）を備える。マイクロニードルは、実質的に平面である底面（base surface）から延在し、実質的に平面である出発原料から形成される。底面は、底基板１２の内表面２６に接着している。他の構成では、マイクロニードルの底面は、底基板の一部を形成してもよいと考えられる。他の構成では、マイクロニードルは、出願人であるユニバーシティ  オブ  ワシントン  スルー  イッツ  センター  フォー  コマーシャリゼーションによる「微細構造に基づく創傷閉鎖デバイス」と題されたＰＣＴ公開出願、公報番号WO 2013/188884A1で示された構造を備えてもよく、当該明細書全体はすべて本明細書に援用される。同様に、特定の他の構成は、使用のために考えられる。また、いくつかある構成の中でも、マイクロニードルは直線、斜めまたはかぎ状（hooked）であってもよいものと理解される。図示された構成では、マイクロニードルは中央領域４４に向かって内向きに傾斜するが、他の構成も考えられる。
【００３５】
第１の側面連結部材３２は、第１の側縁部２２から第２の側縁部４２まで底基板１２の全体に亘って広がると考えられる。図示された構成では、第１の側面連結部材３２は、創傷被覆部１４と底基板１２の各端部との両方から離間するように位置している。他の構成では、その構成で示されたように、第１の側面連結部材および第２の側面連結部材は、実質的に連続部材を含むというより不連続部位を含んでもよい。
【００３６】
特に、第１の側面連結部材３２および第２の側面連結部材３４は、互いに左右対称であってもよく、図４〜図６に集合的に示された構造体を備えてもよい。特に、第１の側面連結部材３２および第２の側面連結部材３４は、基部６０と離間した複数の把持構造体（gripping structure）７０とをそれぞれ備えてもよい。一般に、基部６０は下面６２、上面６４および外周部（outer perimeter）６６を画定する実質的な平面部材を備える。図示された構成では、基部６０は、０．２５ｍｍの厚さを有する。使用可能な形態に取り付けられた際、外周部６６は前縁部（leading edge）６７と、後縁部（trailing edge）６８とを画定する。図示された構成では、基部６０は、実質的に同一の長方形部材を備え、その長辺は互いに平行な前縁部６７および後縁部６８である。当然に、付加的なトポグラフィー（additional topographies）を有する構成を備える他の構成が考えられる。
【００３７】
把持構造体７０は、基部６０周りに位置し、基部６０の上面６４から延在する。そのような構造体は、モノリシック（monolithic）であり、単一の実質的に均一な構成を形成するために基部６０と連動して追従されるものと理解される。一般に、把持構造体７０は、構成が実質的に同一であるが、必ずしもその必要はない。そのようなものとして、単一の把持構造体は、残りの把持構造体が実質的に同一であるという理解のもとで示されている。
【００３８】
把持構造体７０は前面７２と、後面７４と、第１の側面７６と、第２の側面７８と、を含む。基部６０の把持構造体７０は、実質的に正方形の基部外周部（base perimeter）８０を画定する。４つの面７２、７４、７６、７８は協調的に上部の上端（upper tip）８１に先細になる。外面は、角度８３で内向きに傾斜され、図示された構成では角度８３は１２．０２°であり、挟角８２は２４．０４°である。図示された構成では、把持構造体７０の高さは０．７００ｍｍであり、基部６０は０．４２６ｍｍ四方である。前面７２および後面７４は、基部外周部８０によって画定された底面（footprint）の外側に上端８１があるようにそれぞれ湾曲し、第１の側面７６および第２の側面７８は上述の角度で傾斜している。当然に、変形例が考えられる。第１の側面７６および第２の側面７８の湾曲した面は、直線のまたは屈曲した把持構造体と比べて把持構造体７０の保持力に非常に役に立つということが見出されている。把持構造体の拡大写真は図７に示されている。
【００３９】
図示された構成では、把持構造体７０は、互いに対してオフセットされた（offset）均等な行と列に位置している。そのような構成では、計１５個の把持構造体は、２つの行のそれぞれに位置していてもよく、これらの行は交互に配列されている。それによって、第１の行の把持構造体は、第２の行の隣接する把持構造体の間に位置する。当然に、例えばいずれの方向にも均等な分離の格子状の構造を形成する均等な行と列に構造体がある構成などの変形例が考えられる。図示された構成では、第１の側面連結部材３２および第２の側面連結部材３４が形成される材料は、アクリル系ポリマー樹脂から形成されたアクリル系ポリマー材料を含む。この形成は、開示されたポリマー構造物と関連する使用に限定されず、使用のために他のポリマー構造物が考えられる。
【００４０】
図１では、接着性連結系１８は、第１の側面接着部３６と、第２の側面接着部３８と、を備えるものとして示されている。一般的に、第１の側面接着部３６および第２の側面接着部３８は、同様の構成であってもよいものと理解される。したがって、第１の側面接着部３６および第２の側面接着部３８は、同一の場所または異なった場所に設けられてもよいが、これらの一般的な接着性構造物は同様である。そのようなものとして、同一の原理および構造は第２の側面接着部３８に適用されてもよいという理解のもとで、第１の側面接着部３６は議論される。
【００４１】
第１の側面接着部３６は、複数の領域、またはその保持を容易にするように適切な接着力で患者の皮膚に剥離可能に貼り付けることができる接着剤の単一の領域を備えてもよい。最も好ましくは、第１の側面接着部３６は１以上の領域を含み、これらの領域の全てが第１の側面連結部材３２と底基板１２の第１の端部２０との間に位置している。同一の構造が、第２の側面連結部材３４と底基板１２の第２の端部４０との間にあるように、第２の側面接着部３８で利用されると考えられる。接着剤は、包帯技術の当業者に知られている種類である。すなわち、そのような接着剤は、十分な力で使用者の皮膚に接着するように構成される。他の構成では、接着剤の複数の領域が第１の側面接着部３６および第２の側面接着部３８の両方に利用されると考えられる。そのような領域は機械的連結系１６に亘って、機械的連結系１６と底基板１２の各端部との間、もしくは機械的連結系１６と創傷被覆系との間、または３つの場所全てに位置してもよいと考えられる。最も好ましくは、選択される領域は、機械的連結系１６と底基板１２の各端部との間であるということが見出されている。接着剤は、底基板１２の内表面２６全体に亘って延在してもよいと考えられる。それによって、第１の側面接着部３６および第２の側面接着部３８を形成する同一の接着剤で、創傷被覆部１４および機械的連結系１６が底基板１２と連結される。
【００４２】
図４〜図６に示された構成では、本開示によって形成された一例の包帯（sample bandage）の寸法が示されている。この寸法は例示であり、限定的であると見なされるべきではない。包帯の長さ（Ａ）は６３．５０ｍｍである。包帯の幅（Ｂ）は５０．８０ｍｍである。第１の側面接着部３６および第２の側面接着部３８のそれぞれの長さ（Ｃ）は１２．７０ｍｍである。第１の側面連結部材３２および第２の側面連結部材３４のそれぞれの長さ（Ｄ）は、１２．７０ｍｍである。第１の側面連結部材３２と第２の側面連結部材３４との間の空間の長さ、すなわち創傷接触面（Ｅ）は１２．７０ｍｍである。繰り返すが、これらは例示に過ぎない。包帯の一部は、この幅の半分であってもよいと考えられる。
【００４３】
使用では、まず包帯が提供される。好ましい構成では、底基板１２は、ほぼ中央に設けられた創傷被覆部１４を含み、第１の側面連結部材３２が第１の側面領域４６の側面に位置し、第２の側面連結部材３４が第２の側面領域４８の側面に位置する。第１の側面接着部３６は、第１の側面連結部材３２と第１の端部２０との間に延在し、第２の側面接着部３８は、第２の側面連結部材３４と第２の端部４０との間に延在する。当然に、上述の他の構成は、同様に考えられる。
【００４４】
図３を参照すると、一般的におよび概念的に包帯１０を貼り付けるために、包帯１０は、内向きの付勢力を与えるように引き伸ばされ、接着剤は、創傷１００の両側にさらなる機械的保持を提供する。
【００４５】
より詳細には、当該包帯１０によって治療されるべきと考えられる種類の典型的な創傷では、細長い経路に沿って皮膚の層を通る傷口であり、この経路は第１の側と第２の側とを有し、経路の両側に皮膚がある。そのような創傷または他の同様の創傷では、まず使用者（または医療従事者）が、第１の側面接着部３６および第１の側面連結部材３２を創傷１００の第１の側上の皮膚に接着する。すなわち、この連結は、創傷１００の第１の側の皮膚になる。好ましくは痛みを伴わずに、目に見える血流を生じさせるあらゆる毛細血管を切断することなしに、第１の側面連結部材３２およびマイクロニードルは皮膚の上層内に延在するものと理解される。フック（hook）は、創傷１００に向かって延在するように構成され、さらにフックが創傷への基板全体の移動を防ぐ働きをする。さらに、接着剤は、マイクロニードルの皮膚への方向さらに容易にし、スキッピング（skipping）や皮膚に沿う移動を阻止するように皮膚に貼り付けられる。すなわち、接着剤は、マイクロニードルが動作可能に皮膚内に延在し、適切な方向にとどまることを保証する。概して、引き伸ばされていない形態（unstretched configuration）では、これが生じる。
【００４６】
次に、使用者（または医療従事者）は、創傷１００の反対側に延在するように底基板１２を伸ばす。そして、第２の側面領域４８は皮膚内に導かれる。第２の側面連結部材３４は皮膚内に導かれ、マイクロニードルを皮膚へ押し込む。同様に、これらのマイクロニードルは、創傷１００に向かって傾斜されるので、創傷１００に向かう底基板１２のさらなる移動は制限され、阻止される。そして、第２の側面領域４８を皮膚に固定し、マイクロニードルを適切な向きで保持するために、第２の側面接着部３８は皮膚に押し付けられる。
【００４７】
そのような構成では、創傷被覆部１４は創傷１００に亘って延在し、好ましくは創傷接触面３０が創傷１００の表面と接触する。創傷接触面３０は、凝固するのを促進するため創傷１００への圧力を提供してもよく、そうでなければ有益な薬剤を提供してもよい。
【００４８】
底基板１２の弾性と、第２の側面領域の皮膚への接着より前に創傷１００に亘って底基板１２が弾性伸長することに起因して、底基板１２が連結すると、自身の元の形態に戻るために付勢力を発揮する。底基板は、自身の元の引き伸ばされていない形態に戻ろうとするので、マイクロニードルは、そのような移動に抵抗し、接着剤は、そのような移動を阻止し、かつマイクロニードルの皮膚からの後退も阻止する。そのようなものとして、創傷１００の両側の皮膚内に延在するマイクロニードルは、創傷１００に向かって皮膚に押し付ける。それによって、底基板１２によって発揮される付勢力が、創傷１００を強制的に塞ぎ、皮膚をほぼつまむ。そのような使用は、創傷閉鎖、血液凝固および傷の最小化を促進する。また、痛みを増加させることなしに、またさらなる損傷を創傷１００の周囲の皮膚へ生じさせることなしに、同じことが達成される。
【００４９】
本構成の包帯を製造するため、底基板１２、創傷被覆部１４および機械的連結系１６はロールに提供されてもよく、構成要素は互いに接合されていると考えられる。問題なことに、把持構造体７０を破損させることなしに、機械的連結系１６のロールを提供することが難しいかもしれない。そのような構成では、機械的連結系１６は、保護包装によって少なくとも部分的に包まれたロールに提供される。例えば、図８に示すように、機械的連結系１６となるであろうもののロールが供給され、一方の側は連結部材の前縁部６７を形成し、他方の側は連結部材の後縁部６８を形成し、保護キャリア（protective carrier）２００のチャネル（channel）２０１内に設置され得る。保護キャリアのチャネル２０１は、底部２０５、第１の側壁２０７および第２の側壁２０９によって画定される。保護キャリア２００は、機械的連結系材料のロールの長さと等しい長さを有する。機械的連結系１６のロールは、把持構造体７０が上方向を向いている状態でチャネル２０１内に設置される。第１の側壁２０７および第２の側壁２０９の高さは、それらによって画定されるチャネル２０１内に把持構造体７０が保持されるようなものであると理解される。製造中、機械的連結系材料は底基板１２への貼り付けの際にチャネル２０１内から除去され、その上に接着剤が配置される。図示された構成では、例えばカートリッジ（cartridge）を形成するために、各保護キャリア２００内に収納された２つの隣り合う機械的連結系材料のロールは利用され、互いに連結される。第１の側面連結部材３２および第２の側面連結部材３４を実質的に同時に形成するために、機械的連結系材料はそれぞれから除去される。ロールはそれ自体の上に巻かれてもよく、包帯を形成するために利用され得る５〜１００フィートの機械的連結系１６をロールが備えてもよいと考えられる。
【００５０】
前述の説明は、発明を説明し解説するに過ぎず、発明はそれらに制限されず、添付の特許請求の範囲が制限される場合を除き、それらの前に開示を有する当業者は本発明の範囲を逸脱することなく変更を加えることができるであろう。
【符号の説明】
【００５１】
１０  包帯
１２  底基板
１４  創傷被覆部
１５  計
１６  機械的連結系
１８  接着性連結系
２０  第１の端部
２２  第１の側縁部
２４  外表面
２６  内表面
３０  創傷接触面
３２  第１の側面連結部材
３４  第２の側面連結部材
３６  第１の側面接着部
３８  第２の側面接着部
４０  第２の端部
４２  第２の側縁部
４４  中央領域
４６  第１の側面領域
４８  第２の側面領域
６０  基部
６２  下面
６４  上面
６６  外周部
６７  前縁部
６８  後縁部
７０  把持構造体
７２  前面
７４  後面
７６  第１の側面
７８  第２の側面
８０  基部外周部
８１  上端
８２  挟角
８３  角度
１００  創傷
２００  保護キャリア
２０１  チャネル
２０５  底部
２０７  第１の側壁
２０９  第２の側壁
【図１】
0006689973.tif 000002
【図２】
0006689973.tif 000003
【図３】
0006689973.tif 000004
【図４】
0006689973.tif 000005
【図５】
0006689973.tif 000006
【図６】
0006689973.tif 000007
【図７】
0006689973.tif 000008
【図８】
0006689973.tif 000009